(57)【要約】      （修正有）【課題】塗り壁材の混練に必要な舟の代用となり、施工現場まで持ち運べるとともに、残った塗り壁材も再使用できるようにする塗り壁材の収納容器を提供する。【解決手段】塗り壁材を収納する収納容器であり、この収納容器が、鏝やスコップ等で塗り壁材の混練が可能な開口面積を有する直方体をした段ボール製の箱と、中に予め混練された塗り壁材が充填され、上部が開口して箱の中に挿入されるとともに、上部が箱の外に十分な長さで折り返しができる気密性と可撓性を有する素材からなる袋とからなり、収納容器の重量及び嵩が人が抱えられる程度に設定してある。【選択図】図１
0003150704.tif 000002
【実用新案登録請求の範囲】
【請求項１】
塗り壁材を収納する収納容器であり、この収納容器が、鏝やスコップ等で塗り壁材の混練が可能な開口面積を有する直方体をした段ボール製の箱と、中に予め混練された塗り壁材が充填され、上部が開口して箱の中に挿入されるとともに、上部が箱の外に十分な長さで折り返しができる気密性と可撓性を有する素材からなる袋とからなり、収納容器の重量及び嵩が人が抱えられる程度に設定してあることを特徴とする塗り壁材の収納容器。
【請求項２】
袋の上部が閉塞具で閉じて密封でき、かつ、箱の中に収まるものである請求項１の塗り壁材の収納容器。
【請求項３】
塗り壁材が漆喰を主要素材とするものである請求項１又は２の塗り壁材の収納容器。
【考案の詳細な説明】
【技術分野】
【０００１】
本発明は、壁等に施工する塗り壁材の収納容器に関するものである。
【背景技術】
【０００２】
塗り壁材には種々の材料系のものがあるが、いずれも舟と呼ばれる桶に塗り壁材の素材を所定の割合で投入するとともに、これに水を加えて混練し、この混練したものを鏝板と呼ばれる板の上に載せて鏝で壁等に塗り付けていた。この舟は、金属や木材で作られているが、いずれもある程度の大きさに設定されているから、これを塗り壁材及び水と一緒に施工現場まで持ち運びするには非常に難渋する。特に、現場が狭い度所や階上であるような場合は、運ぼうにも運べないことがある。
【０００３】
このような場合は、舟を据え付けられる場所に据え付けてここで混練して現場まで運んでいた。したがって、舟と現場までを何回も往復しなければならず、作業者の負担が増えるとともに、作業の効率を低下させていた。さらに、途中で塗り壁材が不足すると、再度素材と水を投入して混練する必要があるが、この混練作業には熟練が要求されるから、同じ品質の塗り壁材とならないといったこともある。
【０００４】
一方で、施工が終了すると、舟を洗浄する必要があるが、舟の据え付け場所如何によっては現場で洗浄ができないことがある。さらに、残った塗り壁材は一般に再使用ができず、廃棄せざるを得ないが、現場に投棄する訳にもゆかない。特に、最近多く使用される自然の風合いを呈す漆喰系の塗り壁材の場合は、空気に触れると固化するから、再使用ができない。したがって、塗り壁材を入れたままの舟を持ち帰らなくてはならず、無駄と効率の悪さを呈していた。
【０００５】
そこで、最近では、下記特許文献１で見られるように、できるだけ均一の塗り壁材が得られるようにと、漆喰系の塗り壁材を所定に調合したものを予め袋に詰めたものがあり、そのようなものでは、袋を開封して舟に移し、これに水を加えて混練するだけでよいものもある。しかし、舟を必要とする点、その据え付け場所に苦慮する点、残ったものの処理に困るといった点については、上記と同様である。
【先行技術文献】
【特許文献】
【０００６】
【特許文献１】特開２００３−３０５７１２号公報
【考案の概要】
【考案が解決しようとする課題】
【０００７】
以上の課題の下、本考案は、塗り作業において、運搬と据え付け場所に苦慮する舟を使用しなければならない点、舟と現場までを何回も往復しなければならない点、塗り壁材に使い残しがあった場合の処理に困るといった点を解決したものである。
【課題を解決するための手段】
【０００８】
本考案は、請求項１に記載した、塗り壁材を収納する収納容器であり、この収納容器が、鏝やスコップ等で塗り壁材の混練が可能な開口面積を有する直方体をした段ボール製の箱と、中に予め混練された塗り壁材が充填され、上部が開口して箱の中に挿入されるとともに、上部が箱の外に十分な長さで折り返しができる気密性と可撓性を有する素材からなる袋とからなり、収納容器の重量及び嵩が人が抱えられる程度に設定してあることを特徴とする塗り壁材の収納容器を提供したものである。
【０００９】
また、本考案は、以上の収納容器において、請求項２に記載した、袋の上部が閉塞具で閉じて密封でき、かつ、箱の中に収まるものである手段、請求項３に記載した、塗り壁材が漆喰を主要素材とするものである手段を提供する。
【考案の効果】
【００１０】
請求項１の考案によると、収納容器に収納された塗り壁材は予め混練してあるから、舟を必要としない。なお、この塗り壁材も作業前にはある程度混練する必要があるが、その場合でも、収納容器（箱）は鏝やスコップが使用できる開口面積を有し、かつ、直方体をしていて安定性がよいから、この収納容器を舟として混練できる。したがって、舟を使用する場合に発生する問題を考慮する必要がない。
【００１１】
また、施工現場が狭い場所や階上であっても、収納容器は人が抱えられる重量と嵩に設定されているから、現場まで持ち運べる。このとき、複数の収納容器を重ねておくことができるから、場所をとらない。さらに、箱は段ボール製であることから、使い済みのものは折り畳むことができ、場所もとらず、回収も容易である。この他、請求項２の手段によると、施工途中で袋を密封して箱の蓋もできるし、残った塗り壁材を保存して再使用することもできる。特に、請求項３の漆喰系の塗り壁材であっても、長期に保存できるから、経済性に優れる。
【図面の簡単な説明】
【００１２】
【図１】塗り壁材を収納する収納容器の斜視図である。
【図２】塗り壁材を収納した収納容器の断面図である。
【図３】塗り壁材を収納した収納容器の断面図である。
【図４】塗り壁材を収納した収納容器の断面図である。
【考案を実施するための形態】
【００１３】
以下、本考案の実施の形態を図面を参照して説明する。図１は本考案に係る塗り壁材の収納容器（以下、容器）の斜視図、図２は断面図であるが、この容器Ａは、直方体をしている段ボール製の箱１と、箱１の中に入れられる袋２とからなる。このうち、箱は１は、本体部３と上部二辺に設けられる蓋４、５とからなる通常の形状のものでよいが、人が抱えられる容量・嵩にしてある。具体的には、縦、横が４００ｍｍ×２５０ｍｍ、深さが２５０ｍｍ程度であるが、この数値に限定されるものではない。
【００１４】
袋２は、上部が開口して気密性と可撓性を有する素材（例えば、ポリエチレンやビニール製のもの）で構成され、縦、横は箱１の中に入れることができる寸法にしてある。ただし、その丈（高さ）は箱１の外に十分な長さで折り返しができるようになっている。具体的には、縦、横の寸法を箱１のそれよりもやや大きくしておき、深さを１．５倍又はそれ以上にしてある。
【００１５】
以上の容器Ａに塗り壁材（以下、壁材）６を収納するのである。すなわち、袋２の中に壁材６を入れ、袋２の上部を紐やクリップ等の閉塞具７で塞ぎ、箱１の蓋４、５を閉じてシールしておく。この状態で出荷するとともに、流通過程に置くのであるが、購入者は蓋４、５を開け、閉塞具７を外して使用する。このときの、壁材６は、従来用いられていた土や藁屑からなる従来系のものでもよいし、昨今、多く用いられている漆喰系のものでもよい。
【００１６】
購入者は、箱１と袋２を開き、中の壁材６に所定量の水を加えて（説明書にその割合が記してある）混練するのであるが、箱１や袋２はその状態でスコップや鏝で混練できる開口面積を有し、かつ、直方体で安定しているかち、これを舟としてそのまま混練でき、非常に効率的である。さらに、好ましいのは、袋２の中に入れる壁材６は、素材と水を加えて予め混練してあるものが適する。袋２を密封しておけば、乾燥や固化は起こらず、購入者は即座に（固体分と液体分を混ぜるために使用前に多少は攪拌、混練するが）使用できるからである。
【００１７】
ところで、壁材６として、漆喰系の壁材６について説明しておくと、成分は、消石灰、接着糊（自然物である海草を用いたものが好ましい）、つなぎとしての珪砂、必要に応じた顔料を適宜の割合で混合したものであり、これに水を所定量（２０〜４０重量％）加えて混練するのであるが、この状態のものを袋２に詰めておくのである。
【００１８】
次に、この容器Ａに入っている壁材６の使用方法について説明すると、購入者は、まず、箱１と袋２を開き、容器Ａを抱えて施工現場まで行く（施工現場で容器Ａを開いてもよい）。容器Ａが上記の容量・嵩にしてあれば、壁材６を入れたものの重量は２０Ｋｇ以下になり、人が十分に抱えられるものになる。なお、壁塗り作業には鏝板と鏝（図示省略）を必要とするが、これらを開いた容器Ａの中に入れておけばよい。したがって、別の場所に舟を据えてここで混練して施工現場まで運ぶのに比べて作業が省力的であり、能率的である。
【００１９】
施工現場では、壁材６を鏝板に取り出して鏝で塗り作業をすればよい。このとき、袋２を箱１の外に折り返しておけば（図３）、壁材６の取り出しに支障がない。袋２は箱１の外に折り返したときに十分な長さを有しているのであるから、折り返しが安定するとともに、閉塞具７で密封するときも、余裕があるものになる。一方、施工現場が変わったような場合は、容器Ａごと抱えて移動し、その場所で再び作業をすればよい。
【００２０】
そして、作業が終了することになるが、このとき、壁材６が残っておれば、袋２を閉塞具７で密封して保存しておくことで、次の作業まで長期に保存できる（図４）。また、使い切った箱１は折り畳んでおけば、場所もとらず、回収も容易である。なお、この容器Ａは中に壁材６を充填して再使用も可能であるから、経済的でもある。
【００２１】
このような容器Ａは、専門の左官職だけでなく、日曜大工の一般人にとっても最適なものになる。特に、一般人は壁材についての十分な知識がない上に混練や作業の仕方も十分ではないことから、非常に便利のよいものになる。
【符号の説明】
【００２２】
Ａ      収納容器
１      箱
２      袋
３      本体部
４      蓋
５      蓋
６      塗り壁材
７      閉塞具
【図１】
0003150704.tif 000003
【図２】
0003150704.tif 000004
【図３】
0003150704.tif 000005
【図４】
0003150704.tif 000006